(57)【要約】【課題】  網捌き装置から降りてくる網に様々な振動を加えながら夫々の部位の牽引速度を変えながら網に中央部より振り分け牽引し、船体幅よりはるかに幅の広い網を捌きながら折畳んで網台の上に格納可能に設ける。【解決手段】  網台上を移動及び上下可能に設けた架台にローラーアームを回動自在に取付け、ローラーアーム先端には俯仰自在で、且つ棒状の網叩き材を取り付けた左右の捌きローラーを鈍角状に配列形成した網捌き装置を装着し，捌きローラーの右舷側には沈子の案内ローラーを装着する。【選択図】      図１
2007068526.tif 000002
【特許請求の範囲】
【請求項１】
船体後部の網台両舷に設けられたレールを移動可能に架設された架台上に伸縮及び俯仰並びに牽引の勢力を付与した網捌き装置を装着し、当該網捌き装置を用いてデリッククレーン等に懸下した網捌き機より降下してくる網を押し引きし、上下及び左右に揺動させながら網の縺れや捩れを取りつつ網を牽引し且つ横方向に広げることで網を捌き、網台上に整頓格納可能に構成した旋網の網処理装置において、
船体後部の網台上を前後に移動及び上下可能に設けた架台に、棒状に形成した網叩き材を有する２個の捌きローラーを先角状に配置し，右舷側には沈子用の牽引ローラーを装着した事を特長とする網処理装置。
【請求項２】
捌きローラーの回転軸に、当該ローラーの舷側方向の根元部で小径に設け、且つ先端部の連結部では根元部より大径に形成した支持環の円周上に、均等な角度を設けて棒状に形成した複数の網叩き材を当該ローラーの軸方向に取付け、網叩き材と支持環で形成される捌きローラーの少なくとも片側の外形をテーパー状に形成した事を特長とする請求項１記載の網処理装置。
【請求項３】
網叩き材と支持環で形成される捌きローラーの両側の外形をテーパー状に形成した事を特長とする請求項１記載の網処理装置。
【請求項４】
船体に設けたクレーン装置に網処理部を懸下し、俯仰旋回及び移動自在に設けた事を特長とする請求項１及び請求項２並びに請求項３記載の網処理装置。
【請求項５】
船体に設けた二重式クレーンの片側のブームに網捌き機を取付け、残りの側に網処理部を懸下して、夫々のブームを俯仰旋回伸縮自在に設けたことを特長とする請求項１及び請求項２並びに請求項３記載の網処理装置。
【請求項６】
右舷側には沈子部を牽引可能に設けた牽引装置を装着し、左舷側には浮子部を牽引可能に設けた牽引装置を装着した事を特長とする請求項２乃至５記載の網処理装置。
【請求項７】
網処理部の前方に網牽引ローラーを取付けたことを特長とする請求項２乃至６記載の網処理装置。
【発明の詳細な説明】
【技術分野】
【０００１】  本発明は旋網本船に使用される旋網の網捌きに使用される網処理装置に関するものである。
【背景技術】
【０００２】  旋綱漁業において、漁獲のために投綱された網は底部を閉じた後に早急に巻き揚げられるが、揚網した網は次回の投網に備えるために順序良く捌きながら網台の上に積み込まなければならない。【０００３】  この作業は次回の魚群発見時での迅速な投網を行うために極めて重要なものであり、そのため網捌き作業には多数の作業員を担当させているのが現状である。
【発明の開示】
【発明が解決しようとする課題】
【０００４】  海中より揚網される網は、まず船尾部に設置されたネットホーラー等の揚網機で牽引され、続いてデリックブームあるいはマリンクレーン等の先端に懸架された網捌き機でさらに高い位置まで牽引され、そこから網台上に自由落下状態で降ろされる。【０００５】  この状態で降りてくる網を、作業員の手作業により網の海底側最下部に位置する沈子部と海面側最上部の浮子部とを完全に振り分け、中間の網の部分を捌いて前後方向に折り畳みながら網台の上に格納する。【０００６】  ところがこの網捌きの作業は、常に揺動を繰り返す船上では、見た目以上に困難でやりにくい作業であり、また想像以上に危険を伴うものである。【０００７】  すなわち、幅数十メートルから百数十メートルの網を海中から引き上げると直ちに、わずか十メートルにも満たない網台の上に出来るだけ均等になるように捌きながら折畳むので、海中から引き揚げられた網が濡れていることもあって、相当な重量感が有り、手作業ではかなりの力を要する極めて厳しい作業を強いられてしまう。【０００８】  また、高い位置に保持された網捌き機から強制的に降ろされてくるので、揺動の激しい船上では網に押し潰されないように常に体を支えながらの作業となってしまう。【０００９】  荒天時などは網そのものの揺動も激しく、網を掴んでいる状態で大きく揺れるなど網の慣性力により体ごと振り回されてしまうことも少なくない。【００１０】  さらに揚網が進んで行けば積み上げられた網の上に乗って綱を捌き続けなければならず、網を引っ掛けたり柔らかい網の上で足を取られる事も多々あり、かなり危険で力を要する作業でもあり、そのため多くの作業員を割り当てなければならない。【００１１】  近年では網の浮子部分や沈子の部分を夫々牽引しながら巻き取る浮子牽引装置や沈子牽引装置が開発されて使用されつつあり、それにより両側の作業負担は軽減されては来たが、いまだ浮子と沈子の間に位置するいわゆる中網部分の捌き作業は作業員の手に頼らざるを得ないのが現状である。【００１２】  また最近になって揚網された網を捌きながら格納する作業を補助する網捌き装置等が開発されたものの、未だに作業員の手作業以上の効果を上げるに至ってはいない。
【課題を解決しようとする手段】
【００１３】  上述した課題を解決するため、現在行われている揚網作業を解析してみると、高所の網捌き機から降りてくる網は捩れたり縺れたりしているため、作業員は常にその網に振動を与えながら網をほぐしている。
【００１４】  またその動きを詳しく見てみると、網を引きながら前後に揺すったり左右に振ったりと網に強弱を加えながら、まるで網を叩くかのごとくの振動を付加し続けている。
【００１５】  本発明は、上述したような作業中に作業員が網に与える動きを分析・検討し、作業員が網を叩くように揺すりながら振動を与えつつ網をほぐす動作と同様の運動を網に与え、網捌き機から降りてきた網を連続して捌くために以下のような構成とする。
【００１６】  船体後部の網台両舷に、夫々現行の旋網漁船の設備配置に対し最適な形状で設けられたレールに、前後に移動可能で、且つ左右両側が夫々独立して上下自在に設けた架台を架設し、当該架台に網処理部を装着する。
【００１７】  デリッククレーン等に懸下した網捌き機より降下してくる網を、当該網処理部で網面を叩くように押し引きし、上下及び左右に揺動させ、その動作によって網の縺れや捩れを取りつつ横方向に広げながら収容可能に形成したもので、この方法により船体幅よりはるかに幅の広い網をほぼ均等に振り分けながら捌き、これによって網台の上に網を綺麗に格納可能に構成したものである。
【発明の効果】
【００１８】  本発明は上述したごとく、危険かつ多数の作業員を必要とする網捌きの作業を行うにあたり、油圧等の動力によって従来の人力による作業と同様の振動を強制的に網に与え、作業員の労力を低減し同時に作業効率の向上を可能にしたもので、揚網作業の省力化や安全性の向上に十分に貢献出来るものである。
【００１９】  さらに、これまで多数の作業員の手作業に頼るしかなかった揚網時の網捌き作業を、機械化で合理的および迅速に行えるので、作業の近代化を計ることができる。
【００２０】  また、網捌き機より降りてくる網を強制的に、かつ牽引しながら捌くので、これまではかなり高い位置に設定していた網捌き機の位置を低めに設定する事が可能で、そのため作業中の船体の重心位置をこれまでより低めにする事ができ、その結果船体バランスを安定させ、漁労に従事する船全体の安全性の向上に貢献できる。
【発明を実施するための最良の形態】
【００２１】  本発明は発明を実施するための最良の方法として、以下に述べるような構造とする。【００２２】  船体左舷側ブルワーク上にレールを設け、また右舷側には一端を船橋部に固着し、且つワイヤー等で懸下保持したレールを取り付ける。【００２３】  夫々のレールには上下装置に移動用トロリー装置を取付けて、レール上を前後に移動自在に設けた移動台を各々装着する。【００２４】  左右各々の移動台に両端を揺動可能に取付け、且つ網台上を前後に移動及び上下可能に架台を連結する。【００２５】  当該架台は中央部を鈍角状に形成し、且つ角部の先端部に取付けた支持金具に軸受盤を固着する。【００２６】  棒状に形成した網叩き部を有する２個の捌きローラーを先端部で上記軸受盤に所定の角度を設けて軸着し、油圧モーターの回転で回転自在に捌きローラーを形成する。【００２７】  左右２本の捌きローラーを上記架台の前面に回転自在に装着して網捌き部を形成する。
【実施例】
【００２８】  以下実施例について図面を下に説明すると、図１は本発明の平面図、図２は正面図、図１３は使用状態の平面説明図、図１４は使用状態の側面説明図である。【００２９】  船体１後部網台２の左舷側ブルワーク３上にレール４を設け、当該レール４には油圧モーター５で走行可能に設けた移動用トロリー装置６を取付けて、レール４上を前後に移動自在に設ける。【００３０】  当該トロリー装置６には油圧シリンダー７の伸縮で接続金具８を上下自在に設けた上下装置９を軸着する。【００３１】  船体１右舷側には船首方向先端に設けたクレビス１０を船橋部１１後端に設けた軸受１２に俯仰自在で、且つワイヤー等１３で数箇所を懸下したレール１４を軸着する。【００３２】  当該レール１４には油圧モーター１５で走行可能に設けた移動用トロリー装置１６を取付けて、レール１４上を前後に移動自在に設ける。【００３３】  上記トロリー装置１６には油圧シリンダー１７の伸縮で連結金具１８を上下自在に設けた上下装置１９を装着する。【００３４】  中央部で鈍角の角度を設け左右の接続金具８、１８と回動可能に連結した架台２０の中央角部先端に、支持金具２１で固着した軸受盤２２を装着し、また両側には回動装置２３，２４を固着する。【００３５】  当該回動装置２３、２４は油圧シリンダー２５の伸縮で架台２０を回動可能に設けたものである。【００３６】  左右の接続金具８及び連結金具１８は夫々架台２０の両端の回動装置にスイング自在に取付けてある。【００３７】  捌きローラー２６の回転軸２７には、支持棒２８で取付けた支持環２９を装着してあり、棒状に形成した３本乃至４本の網叩き材３０を当該支持環２９の円周上に均等な角度を設けて取付けてある。【００３８】  左舷側捌きローラー２６の支持環３１は捌きローラー２６の根元部３２で小径に設け、また先端部３３の連結部位では根元部より大径に形成して、網叩き材３０と支持環２９で形成される捌きローラー２６  外形をテーパー状に形成してある。【００３９】  捌きローラー２６の夫々の回転軸２７とモーターケース３４内の油圧モーターとを連結し、油圧モーターの回転で回転自在に設けた捌きローラー２６の回転軸２７先端を上記軸受盤２２に回転自在に軸着する。【００４０】  上記捌きローラー２６の後端部を前記架台２０に回転可能に取付けて、夫々の捌きローラー２６を同時回転自在に設け、網処理部３５を形成する。【００４１】  なお図３図４に示すように右舷側の捌きローラー２６は先端部・後端部とも同径の円筒型に形成してあるが、左舷側の捌きローラー２６同様、先端部で大径で後端部で小径のテーパー状に設けても効果を高めることが可能である。【００４２】  さらに、右舷側連結金具１８の連結柱１９には油圧モーター３６の回転で沈子部１０７を牽引可能に設けた沈子牽引装置３７を装着して、沈子部１０７の牽引を容易に設けてある。【００４３】  本発明における網処理装置１０１を使用する場合は、図１３・１４等の使用説明図にあるように船体１最後部のネットホーラー１０２で海中１０３から牽引した網１０４をマリンクレーン等１０５の先端に懸架され、高所に置かれた網捌き機１０６へと誘導し、当該網捌き機１０６から降りてくる網１０４を船体１後方��より叩くように振動させつつ押し引きし、この運動によりもつれた網１０４をほぐして自然に広げ、網台２上にきれいに折りたたみながら格納する。【００４４】  この時網捌き機１０６より降りてくる網１０４は、捌きローラー２６が前後したり、回動装置２３、２４のシリンダー２５の伸縮で俯仰したりする動きに加え、捌きローラー２６が正逆回転や左右異なった回転をすることで、叩かれたりゆすられたり、さらに持ち上げられたり引っ張られたりの複雑な動きを与えられるために、縺れたり絡んだりした部分が次第に緩み、作業員により浮子側を、また沈子の牽引装置３７で沈子側を強制的に引かれるので捌かれながら順次下りてゆく。【００４５】  さらにこの時浮子牽引装置を別設して使用すればより効果を高めることが出来る。【００４６】  あとは装置全体を網台２上で緩やかに前後させ続ければ網  は自然に網台２上に折りたたまれつつ格納されてゆくことになる。【００４７】  図５は実施例３の平面図、図６は実施例３の正面図である。【００４８】  マリンクレーン３８のブーム３９先端部に網捌き機１０６の懸下金具４０を設け、当該懸下金具４０の前方に油圧アクチェーター４１で左右に旋回自在に設けた旋回装置４２を取付ける。【００４９】  上記旋回装置４２には油圧シリンダー４３で俯仰自在で且つ中間部に設けた油圧シリンダー４４で屈伸自在に設けた支持アーム４５を取付けてある。【００５０】  当該支持アーム４５先端には網処理部３５の取付架台４６を油圧アクチェーター４７で旋回自在に装着してある。【００５１】  上記取付架台４６に網処理部３５の架台２０の両端を固着して前記網処理部３５を俯仰旋回可能に形成し、網捌き機１０６の位置に合わせて本発明に係る網処理装置１０１を最良のポジションに調整可能に設けたものである。【００５２】  同一ブーム３９上に網捌き機１０６を装着する利点としては、他のレールやトロリー装置あるいは上下装置等のような機械装置の数を削減することが可能で、効率の良い網捌きの作業を行う事が出来る。【００５３】  本発明の使用に関しては実施例２に準じる。【００５４】  図７は実施例４の平面図、図８は実施例４の正面図である。【００５５】  旋回部４８を上下二段に設けたクレーン装置４９の夫々の旋回部４８に、各々伸縮自在に設けたブーム５０・５１を俯仰可能に取付ける。【００５６】  上側に設けたブーム５０の先端部には懸下金具５２を取付けて網捌き機１０６を懸下し、また下側のブーム５１先端部には、油圧シリンダー５３の伸縮で俯仰可能に設け、且つ油圧アクチェーター５４で旋回自在に形成した網処理部３５の取付架台５５を装着する。【００５７】  当該取付架台５５は網処理部３５の架台２０の両端を固着して網処理部３５を旋回可能に装着し、網捌き機１０６の位置に合わせて網処理装置１０１のポジションを調整可能に設けたものである。【００５８】  網処理装置１０１はその使用形態上特異な形状に形成されてあり、そのため必ずしも重心位置を支持することが出来るわけではない。【００５９】  このため同一ブーム上に網捌き機１０６と網処理部３５とを装着した場合、網捌き機１０６と網処理部３５との位置関係を最良の状態に保つためには複雑な構造の支持金具が必要である���【００６０】  しかしながら、ポジショニングのためにクレーン装置４９のブーム５０・５１を其々専用の物とすることで、クレーン装置  全体やブーム  に無理な過重をかけることなく、網捌き機１０６及び網処理部３５夫々の機器を他の機器に影響なく、最良の状態で使用する事が可能である。【００６１】  図９は実施例５の平面図、図１０は実施例５の正面図である。【００６２】  本発明に於ける網処理装置１０１の左舷側に、浮子部１０８を牽引するための牽引装置５６を取り付け、網処理作業中に浮子部１０８を牽引自在に設けてある。【００６３】  当該浮子牽引装置５６は、トラバース軸等５７で前後自在に設けた移動装置５８に取付けてあり、必要に応じて前後移動可能に形成され、これにより網１０４の浮子部１０８は効率的に牽引され、よりよい網捌きの作業を行う事が出来る。【００６４】  図１１は実施例６の平面図、図１２は実施例６の正面図である。【００６５】  本発明に於ける網処理装置１０１の網処理部３５前方に、網部１０４を牽引するための牽引装置５９を取り付けたものである。【００６６】  これにより網１０４の中網部分は強制的に牽引され、弛みが起き易い中網部の網捌きの作業を効果的に行う事が出来る。【００６７】  本発明の使用に関しては実施例２に準じる。
【産業利用の可能性】
【００６８】  本発明が使用される網処理作業は、現在の旋網漁業に於ける揚網作業の中で、危険度は高いながら最も機械化が遅れており、機械化による安全性の向上や作業の効率化が求められている。
【００６９】  したがって本発明に係る網処理装置が旋網本船に採用された場合、機械化によりこれまでの揚網作業内容を大きく効率化させ、安全性の向上や作業負担の軽減に大きく寄与出来るものである。
【００７０】  なお、本発明における油圧の回路はこれを図示省略する。
【図面の簡単な説明】
【図１】      平面図
【図２】      正面図
【図３】      平面説明図
【図４】      正面説明図
【図５】      第４実施例の平面図
【図６】      第４実施例の正面図
【図７】      第５実施例の平面図
【図８】      第５実施例の正面図
【図９】      第６実施例の平面図
【図１０】      第６実施例の正面図
【図１１】      第７実施例の平面図
【図１２】      第７実施例の正面図
【図１３】      使用状況の側面説明図
【図１４】      使用状況の平面説明図
【符号の説明】
１              船体
２              網台
３              ブルワーク
４              レール
５              油圧モーター
６              移動用トロリー装置
７              油圧シリンダー
８              接続金具
９              上下装置
１０            クレビス
１１            船橋部
１２            軸受
１３            ワイヤー等
１４            レール
１５            油圧モーター
１６            移動用トロリー装置
１７            油圧シリンダー
１８            連結金具
１９            上下装置
２０            架台
２１            支持金具
２２            軸受盤
２３            回動装置
２４            回動装置
２５            油圧シリンダー
２６            捌きローラー
２７            回転軸
２８            支持棒
２９            支持環
３０            網叩き材
３１            支持環
３２            根元部
３３            先端部
３４            モーターケース
３５            網処理部
３６            油圧モーター
３７            沈子牽引装置
３８            マリンクレーン
３９            ブーム
４０            懸下金具
４１            油圧アクチェーター
４２            旋回装置
４３            油圧シリンダー
４４            油圧シリンダー
４５            支持アーム
４６            取付架台
４７            油圧アクチェーター
４８            旋回部
４９            クレーン装置
５０            ブーム
５１            ブーム
５２            懸下金具
５３            油圧シリンダー
５４            油圧アクチェーター
５５            取付架台
５６            牽引装置
５７            トラバース軸等
５８            移動装置
５９            牽引装置
１０１          網処理装置
１０２          ネットホーラー
１０３          海中
１０４          網
１０５          マリンクレーン等
１０６          網捌き機
１０７          沈子部
１０８          浮子部
【図１】
2007068526.tif 000003
【図２】
2007068526.tif 000004
【図３】
2007068526.tif 000005
【図４】
2007068526.tif 000006
【図５】
2007068526.tif 000007
【図６】
2007068526.tif 000008
【図７】
2007068526.tif 000009
【図８】
2007068526.tif 000010
【図９】
2007068526.tif 000011
【図１０】
2007068526.tif 000012
【図１１】
2007068526.tif 000013
【図１２】
2007068526.tif 000014
【図１３】
2007068526.tif 000015
【図１４】
2007068526.tif 000016